(57)【特許請求の範囲】
【請求項１】
踵を覆う踵部を含む、伸縮性を有する本体部と、
前記踵部に設けられ、前記本体部が装着される足の部位に沿って変形し、かつ形状を保持する形状保持部とを備えていることを特徴とするレッグウェア。
【請求項２】
前記形状保持部は、帯状であることを特徴とする請求項１に記載のレッグウェア。
【請求項３】
前記形状保持部は、アキレス腱と略直交する方向へ延伸する水平部を含み、
前記水平部は、アキレス腱または踵骨上に配置されることを特徴とする請求項１または２に記載のレッグウェア。
【請求項４】
前記水平部は、アキレス腱から踵骨隆起の方向へ延在する足の隆起部を横切り、該隆起部の両側に位置する足の窪みに至ることを特徴とする請求項３に記載のレッグウェア。
【請求項５】
前記踵部の内側に設けられた前記形状保持部を覆う被覆部をさらに備え、
前記踵部と前記被覆部との間に前記形状保持部が位置するように、前記踵部、前記形状保持部および前記被覆部がこの順で積層されていることを特徴とする請求項１から４までのいずれか一項に記載のレッグウェア。
【請求項６】
前記被覆部のうち前記形状保持部に接する面とは反対側の面である接触面が前記足に接触しており、
前記接触面が、前記足に対する前記本体部のずれまたは脱げを抑制する滑り止めとして機能することを特徴とする請求項５に記載のレッグウェア。
【請求項７】
前記形状保持部は、足底側に開口した略コの字型であることを特徴とする請求項１から６までのいずれか一項に記載のレッグウェア。
【請求項８】
フットカバーであることを特徴とする請求項１から７までのいずれか一項に記載のレッグウェア。
【発明の詳細な説明】
【技術分野】
【０００１】
本発明は、足に着用するレッグウェアに関し、より詳細には、歩行などの動作によるずれや脱げを抑制するレッグウェアに関する。
【背景技術】
【０００２】
従来、靴下などのレッグウェアは、素足に直接靴を履いた場合の不快感および疲れや冷えを防ぐ目的などで利用されている。レッグウェアは、着用時、歩行などの動作によってずれや脱げが生じ得る。特にフットカバーは、靴を履いたときに靴の中に隠れるように構成されているため、足を覆う部分の面積が小さく、ずれなどが生じやすい。
【０００３】
レッグウェアがずれた場合、レッグウェアの履き心地が低下するため、ずれなどが生じ難いレッグウェアが求められている。
【０００４】
特許文献１および２には、レッグウェアの踵部の内側に、滑り止め部が設けられたレッグウェアが提案されている。特許文献１および２に記載のレッグウェアでは、レッグウェアの生地の収縮力によって滑り止め部を踵に圧着させることにより、レッグウェアのずれなどを防止している。
【０００５】
また、特許文献３には、形状保持性シートを、履口の周縁部などに設けた靴が提案されている。特許文献３に記載の靴では、履口の周縁部などに形状保持性シートを設けることにより、靴の形状保持性を高めている。
【先行技術文献】
【特許文献】
【０００６】
【特許文献１】特開平９−５９８０４号公報（１９９７年０３月０４日公開）
【特許文献２】特開平１０−２９２２０６号公報（１９９８年１１月０４日公開）
【特許文献３】特開２００８−１０４６７１号公報（２００８年０５月０８日公開）
【発明の概要】
【発明が解決しようとする課題】
【０００７】
しかしながら、特許文献１および２のように、レッグウェアの生地の収縮力によって滑り止め部を踵に圧着させる構成では、足の締め付けによる痛みや不快感が生じるという課題があった。加えて、足は複雑な曲面によって構成されており、例えば踵には踵骨隆起部およびアキレス腱の膨らみやアキレス腱付近の窪みなどの凹凸が存在する。そのため、生地の収縮力によって着圧を加えても、滑値止め部を踵に適切にフィットさせることができないという課題があった。
【０００８】
また、特許文献３のように、履口の周縁部などに変形を防止する形状保持性シートを設ける構成では、履口の変形を防ぐことはできるが、踵の凹凸と履口の周縁部との間に隙間が生じるため、着用時のずれを防止することができないという課題がある。
【０００９】
本発明は、上記従来の課題に鑑みてなされたものであって、その目的は、過剰な着圧による足の締め付けを伴わずに、ずれや脱げを抑制可能なレッグウェアを提供することにある。
【課題を解決するための手段】
【００１０】
上記の課題を解決するために、本発明に係るレッグウェアは、踵を覆う踵部を含む、伸縮性を有する本体部と、前記踵部に設けられ、前記本体部が装着される足の部位に沿って変形し、かつ形状を保持する形状保持部とを備えていることを特徴としている。
【００１１】
上記の構成では、踵部に設けられた形状保持部を足の部位に沿って変形させることにより、複雑な曲面によって構成される足の形状に形状保持部を適切にフィットさせることができるため、形状保持部によって本体部が足に係止される。
【００１２】
したがって、上記の構成によれば、過剰な着圧による足の締め付けを伴わずに、本体部のずれや脱げを抑制可能なレッグウェアを実現することができる。
【００１３】
また、本発明に係るレッグウェアでは、前記形状保持部は、帯状であってもよい。
【００１４】
上記の構成では、形状保持部が帯状であるため、形状保持部を足にフィットさせやすくなる。また、形状保持部によって覆われる肌面積を小さくして、汗などで肌がかぶれることを抑制することができる。
【００１５】
したがって、上記の構成によれば、レッグウェアの履き心地を損なうことなく、形状保持部によって本体部のずれや脱げを抑制することができる。
【００１６】
また、本発明に係るレッグウェアでは、前記形状保持部は、アキレス腱と略直交する方向へ延伸する水平部を含み、前記水平部は、アキレス腱または踵骨上に配置されていてもよい。
【００１７】
レッグウェア（本体部）のずれや脱げの一因として、歩行の際、足首の縦方向への屈折動作により、踵部の生地が縦方向へ引っ張られ、踵部が前方へずれることを挙げられる。
【００１８】
上記の構成によれば、アキレス腱または踵骨上に配置された水平部を足の部位に沿って変形させるよって、前述のような踵部のずれを好適に抑制することができる。
【００１９】
また、本発明に係るレッグウェアでは、前記水平部は、アキレス腱から踵骨隆起の方向へ延在する足の隆起部を横切り、該隆起部の両側に位置する足の窪みに至ってもよい。
【００２０】
上記の構成では、アキレス腱から踵骨隆起の方向へ延在する隆起部と、該隆起部の両側に位置する窪みとによって形成される足の凹凸に沿って水平部を変形させることにより、形状保持部を該凹凸にフィットさせることができる。
【００２１】
したがって、上記の構成によれば、形状保持部によって本体部が足の隆起部に係止されるため、形状保持部によってレッグウェアのずれや脱げを効果的に抑制することができる。
【００２２】
また、本発明に係るレッグウェアでは、前記踵部の内側に設けられた前記形状保持部を覆う被覆部をさらに備え、前記踵部と前記被覆部との間に前記形状保持部が位置するように、前記踵部、前記形状保持部および前記被覆部がこの順で積層されていてもよい。
【００２３】
上記の構成によれば、被覆部によって、形状保持部を踵部の内側に容易かつ確実に取り付けることができる。
【００２４】
また、上記の構成によれば、形状保持部が足に直接接触しないため、レッグウェアの履き心地を向上させることができる。
【００２５】
また、本発明に係るレッグウェアでは、前記被覆部のうち前記形状保持部に接する面とは反対側の面である接触面が前記足に接触しており、前記接触面の摩擦係数は、前記本体部の生地の摩擦係数よりも大きくてもよい。
【００２６】
上記の構成では、被覆部の接触面の摩擦係数が本体部の生地の摩擦係数よりも大きいため、被覆部の接触面を滑り止め部として機能させることができる。
【００２７】
したがって、上記の構成によれば、形状保持部によって被覆部の接触面を足にフィットさせて、本体部のずれや脱げをより効果的に抑制することができる。
【００２８】
また、本発明に係るレッグウェアでは、前記形状保持部は、足底側に開口した略コの字型であってもよい。
【００２９】
上記の構成では、形状保持部が足底側に開口した略コの字型であるため、アキレス腱に沿って両側から該アキレス腱を挟み込むように、形状保持部を足にフィットさせることができる。
【００３０】
したがって、上記の構成によれば、形状保持部によって本体部がアキレス腱部分に好適に係止されるため、形状保持部によって本体部のずれや脱げをさらに効果的に抑制することができる。
【００３１】
また、本発明に係るレッグウェアは、フットカバーであってもよい。
【００３２】
フットカバーは、靴を履いたときに靴の中に隠れるように構成されているため、足を覆う部分の面積が小さく、ずれなどが生じやすい。
【００３３】
上記の構成によれば、形状保持部によって本体部が足に固定されるため、過剰な着圧による足の締め付けを伴わずに、ずれや脱げを抑制可能なフットカバーを実現することができる。
【発明の効果】
【００３４】
本発明によれば、過剰な着圧による足の締め付けを伴わずに、ずれや脱げを抑制可能なレッグウェアを提供することができるという効果を奏する。
【図面の簡単な説明】
【００３５】
【図１】本発明の実施の形態に係る右足用のフットカバーの外観構成を示す斜視図である。
【図２】図１に示される滑り止め部および形状保持部を示す平面図である。
【図３】足のアキレス腱およびアキレス腱付近の窪みの位置を説明するための模式図である。
【図４】図２に示されるＡ−Ａ’断面図である。
【図５】（ａ）〜（ｃ）は、実施の形態に係る形状保持部の変形例を示す模式図である。
【図６】（ａ）は、本発明の実施例であるフットカバーに設けられた滑り止め部および形状保持部を示す模式図であり、（ｂ）は、比較例であるフットカバーに設けられた滑り止め部の形状を示す模式図である。
【図７】実施例の試験方法を示す模式図である。
【図８】（ａ）〜（ｃ）は、実施例の試験結果を示すグラフである。説明するための模式図である。
【発明を実施するための形態】
【００３６】
以下、本発明の実施の一形態について、図１〜図５に基づいて説明すれば以下のとおりである。本実施の形態では、本発明に係るレッグウェアをフットカバーに適用した場合を例にして説明する。
【００３７】
ただし、本発明は、足甲および足首を露出させるフットカバーに限られず、足甲および足首を覆うように構成された各種のレッグウェアにも適用することが可能である。
【００３８】
〔フットカバー１の構成〕
図１は、本実施の形態に係る右足用のフットカバー１の外観構成を示す斜視図である。図１に示すように、フットカバー（レッグウェア）１は、本体部２、滑り止め部（被覆部）３、形状保持部４を備えている。
【００３９】
（本体部２）
本体部２は、足裏を覆う足底部２１、爪先を覆う爪先部２２、足Ｆの両側を覆う側辺部２３、踵を覆う踵部２４、および履口２ａに配されたアンカー部２５で形成されている。
【００４０】
履口２ａは、本体部２に足Ｆを出し入れするための開口部であり、本体部２の足底部２１に対して上下反対側に設けられている。この履口２ａは、足甲および足首が露出するように大きく開口されている。これにより、靴を履いたときに本体部２全体が靴の中に隠れるように構成されている。
【００４１】
本体部２は、伸縮性の高い生地で形成されており、通気性、吸湿性の良好なものが好ましい。例えば、綿、麻、毛、絹、などの天然繊維、またはレーヨン、ナイロン、アクリル、ポリエステルなどの化学繊維、などが好ましい。
【００４２】
なお、本実施の形態では、本体部２は編み機によって編成しているが、織り機によって織成した生地を縫着することにより、本体部２を形成することも可能である。
【００４３】
（滑り止め部３）
滑り止め部３は、本体部２の生地よりも伸縮性が低く、かつ本体部２の生地よりも摩擦係数が大きい素材からなる帯状の部材である。滑り止め部３は、踵部２４の内側２４ａの、踝（外果、内果）よりも下側で、かつ後ろ側の領域において、形状保持部４を覆うように、足底部２１側に開口した略コの字型に設けられている。
【００４４】
滑り止め部３は、接触面３１を踵に接触させることにより、本体部２のずれや脱げを抑制する。
【００４５】
滑り止め部３の素材は、本体部２の生地よりも伸縮性が低く、かつ本体部２の生地よりも摩擦係数が大きいものであれば特に限定されない。例えば、肌との摩擦抵抗が比較的大きな樹脂（天然ゴムなどの天然樹脂、シリコンゴム、ウレタンゴムなどの合成樹脂）のほか、様々な素材を用いることができる。
【００４６】
この滑り止め部３は、例えば、基材に樹脂などを塗布してシート状に形成したものを、本体部２の踵部２４の内側２４ａに貼り付けることにより構成することができる。このように、滑り止め部３をシート状に形成することにより、三次元曲面である踵部２４の内側２４ａに、滑り止め部３を容易に貼り付けることができる。
【００４７】
また、滑り止め部３の基材は、熱融着性を有する生地であることが好ましい。熱融着性を有する生地を基材とすることにより、加熱融解して流動性を付与し、さらに冷却して硬化接着することで、後述するように、本体部２の踵部２４と滑り止め部３との間に形状保持部４が位置するように積層し、固定することができる。
【００４８】
一方、滑り止め部３の基材が熱融着性を有さない生地である場合、ホットメルト接着剤、反応系接着剤、溶液系接着剤、または水分散系接着剤を基材に塗布し、本体部２の踵部２４に貼り付けることが好ましい。これにより、本体部２の踵部２４と滑り止め部３との間に形状保持部４が位置するように積層し、固定することができる。
【００４９】
なお、滑り止め部３の基材は、一定の伸縮性を有する生地であることが好ましい。一定の伸縮性のある生地を基材とすることで、形状保持部４が踵に沿って変形することを阻害しないため、形状保持部４を踵に適切にフィットさせることができる。
【００５０】
また、滑り止め部３の基材は、表面に微細な凹凸のある生地であることが好ましい。例えば、編成生地、織成生地などのように編目や織目の微細な凹凸がある場合、樹脂などを薄く塗布することにより、容易に樹脂などの表面に微細な凹凸を形成することができる。これにより、踵に接触する滑り止め部３の接触面３１の摩擦係数を高めることができる。
【００５１】
一方、滑り止め部３として基材が表面に微細な凹凸のない生地を用いる場合、基材に塗布する樹脂などの表面に微細な凹凸を形成することが好ましい。これにより、滑り止め部３の接触面３１の摩擦係数を高めることができる。
【００５２】
（形状保持部４）
形状保持部４は、任意の形状に変形する形状保持性を有する帯状のシート部材である。形状保持部４は、足Ｆの踵に沿って変形することにより、本体部２を踵に係止することで、本体部２のずれや脱げを抑制する。なお、任意の形状に変形する形状保持性とは、力を加えて曲げることで自由に形状を変えることができ、変形後はその形状を保持し続け、曲げ戻りが少ない性質をいう。したがって、形状保持部４は、手で力を加えて曲げ、足Ｆの踵に沿って変形させると、曲げ戻りがほとんど生じず、足Ｆの踵に沿った形状を保持し続けることができる。
【００５３】
形状保持部４が帯状であることにより、形状保持部４を踵にフィットさせやすくなると共に、形状保持部４によって覆われる肌面積を小さくして、汗などで肌がかぶれることを抑制することができる。そのため、フットカバー１の履き心地を損なうことなく、形状保持部４によって本体部２のずれや脱げを抑制することができる。
【００５４】
また、形状保持部４の幅は、２ｍｍ以上２０ｍｍ以下であることが好ましい。２ｍｍより幅が狭い場合は、形状保持能力が弱くなり、踵へのフィット力が弱くなる。一方、２０ｍｍより幅が広い場合は、形状保持部４を足Ｆの踵に沿った形状に変形させ難くなり、踵と形状保持部４との間に隙間が生じるため、歩行による関節の動きや皮膚の伸縮によって、形状保持部４が足Ｆに追随し難くなる。形状保持部４の幅が２ｍｍ以上２０ｍｍ以下であれば、足Ｆの踵に沿った形状に変形可能で、歩行時にも足Ｆの動きに追随でき、より好適にずれや脱げを抑制することができる。
【００５５】
ただし、形状保持部４の幅は、２ｍｍ以上２０ｍｍ以下に限定されるものではなく、足Ｆの踵に沿って変形することにより、本体部２を踵に係止可能な幅であればよい。
【００５６】
また、形状保持部４の帯状とは、直線状に限定されず、曲線状であってもよい。
【００５７】
形状保持部４の素材は、形状保持性を有するものであれば特に限定されず、形状保持性を有する公知の金属やプラスチックなど、様々な素材を用いることができる。ただし、オレフィン類やアルケンをモノマーとして合成されるポリマーであるポリオレフィンを一軸方向に分子配列を行ったシートを、分子配列方向が直交するように積層し熱融着した積層シートは、優れた形状保持性（曲げ戻り角度０°以上４°以下）、繰り返し変形させても破断せず形状保持力を維持できる繰り返し形状保持性、剛性および強度を有しており、かつ金属に比べて軽量であるため、形状保持部４の素材として特に好ましい。
【００５８】
図２は、図１に示される滑り止め部３および形状保持部４を示す平面図である。図２に示すように、形状保持部４は、踵部２４の内側２４ａに、足底側に開口した略コの字型をなすように設けられている。
【００５９】
具体的には、形状保持部４は、足Ｆのアキレス腱Ａと略直交する向きに延伸する水平部４１と、該水平部４１の両端から足底部２１側へ向かって延伸する垂直部４２とを含んでいる。このように形状保持部４を略コの字型に設けることにより、形状保持部４によって、本体部２を足Ｆの踵に好適に係止することが可能となる。
【００６０】
図３は、足Ｆのアキレス腱Ａおよびアキレス腱Ａ付近の窪みＤ１・Ｄ２の位置を説明するための模式図である。図３に示すように、足Ｆの踵には、アキレス腱Ａから踵骨隆起Ｂの方向へ延在する隆起部Ｃと、隆起部Ｃの右側の窪みＤ１と、隆起部Ｃの左側の窪みＤ２から形成される凹凸が存在する。そのため、隆起部Ｃの右側の窪みＤ１から隆起部Ｃを通り、隆起部Ｃの左側の窪みＤ２に至るように水平方向に水平部４１を配置し、隆起部Ｃの右側の窪みＤ１と左側の窪みＤ２とにそれぞれ垂直方向に沿うように垂直部４２を配置して、足底部２１側に開口した略コの字型の形状保持部４を踵の凹凸に沿うように変形させることにより、２つの垂直部４２によって隆起部Ｃ（アキレス腱Ａ）を両側から挟み込むように、形状保持部４を踵にフィットさせることができる。
【００６１】
したがって、形状保持部４によって本体部２を踵に好適に係止することができるため、本体部２のずれや脱げを効果的に抑制することができる。
【００６２】
図４は、図２に示されるＡ−Ａ’断面図である。図４に示すように、本体部２の踵部２４と滑り止め部３との間に形状保持部４が位置するように、本体部２の踵部２４、形状保持部４および滑り止め部３がこの順で積層された状態で、形状保持部４が踵部２４に設けられている。
【００６３】
このように、本体部２の踵部２４と滑り止め部３との間に形状保持部４が位置するように積層することにより、滑り止め部３によって、形状保持部４を本体部２の内側に容易かつ確実に取り付けることができる。また、形状保持部４が踵に直接接触しないため、フットカバー１の履き心地を向上させることができる。
【００６４】
なお、本体部２のずれや脱げの一因として、歩行の際、足首の縦方向への屈折動作により、踵部の生地が縦方向へ引っ張られ、踵部が前方へずれることを挙げられる。そのため、形状保持部４は、本体部２の踵部２４に設けられていることが好ましい。これにより、前述のような踵部２４のずれを好適に抑制することができる。
【００６５】
ただし、形状保持部４を設ける位置は、本体部２の踵部２４だけに限られず、爪先部２２、側辺部２３などに形状保持部４をさらに設けてもよい。
【００６６】
また、形状保持部４が踵を押圧する力（圧着力）は、アンカー部２５が足Ｆを押圧する力（圧着力）以下であることが好ましい。フットカバー１では、形状保持部４が足Ｆを押圧する力が、アンカー部２５が足Ｆを押圧する力以下であった場合であっても、形状保持部４によって本体部２を踵に係止される。そのため、過剰な着圧による足Ｆの締め付けを伴わずに、本体部２のずれや脱げを抑制することができる。
【００６７】
〔フットカバー１の効果〕
以上のように、本発明に係るフットカバー１は、踵を覆う踵部２４を含む、伸縮性を有する本体部２と、本体部２に設けられ、本体部２が装着される足Ｆの部位に沿って変形する形状保持部４とを備えている。
【００６８】
フットカバー１では、本体部２に設けられた形状保持部４を足Ｆの部位に沿って変形させることにより、複雑な曲面によって構成される足Ｆに形状保持部４を適切にフィットさせることが可能であるため、形状保持部４によって本体部２が足Ｆに係止される。
【００６９】
したがって、本実施の形態によれば、過剰な着圧による足の締め付けを伴わずに、本体部のずれや脱げを抑制可能なフットカバー１を実現することができる。
【００７０】
〔変形例１〕
図５の（ａ）〜（ｃ）は、本実施の形態に係る形状保持部４の変形例を示す模式図である。形状保持部４の形状は、足Ｆの部位に沿って変形することにより本体部２を足に係止可能であれば特に限定されない。
【００７１】
図５の（ａ）および（ｂ）に示すように、形状保持部４は、アキレス腱Ａから踵骨隆起Ｂの方向へ延在する隆起部Ｃの右側の窪みＤ１から隆起部Ｃを通り、隆起部Ｃの左側の窪みＤ２に至るように水平方向に延伸する水平部４１のみから構成された直線型であってもよい。
【００７２】
例えば、隆起部Ｃと、該隆起部Ｃの両側に位置する窪みＤ１・Ｄ２とによって形成される足Ｆの凹凸に沿って直線型の形状保持部４を変形させることにより、直線型の形状保持部４を該凹凸にフィットさせることができる。したがって、直線型の形状保持部４によって本体部２が隆起部Ｃに係止されるため、本体部２のずれや脱げを抑制することができる。
【００７３】
なお、滑り止め部３の形状についても、形状保持部４を覆うことが可能であれば特に限定されない。図５（ａ）に示すように、滑り止め部３は、形状保持部４と同様に、直線型であってもよく、図５（ｂ）に示すように、Ｔ字型であってもよい。
【００７４】
このように、滑り止め部３の形状は、形状保持部４の形状に合わせる必要はなく、レッグウェアの種類、求められる滑り止め力などに応じて適宜変更可能である。
【００７５】
また、図５の（ｃ）に示すように、形状保持部４は、足Ｆのアキレス腱と略直交する向きに延伸する水平部４１と、該水平部４１両端から履口２ａおよび足底部２１側へ向かって延伸する垂直部４２とからなる略Ｈの字型であってもよい。
【００７６】
例えば、隆起部Ｃと、該隆起部Ｃの両側に位置する窪みＤ１・Ｄ２とによって形成される足Ｆの凹凸に沿って、略Ｈ字型の形状保持部４を変形させることにより、２つの垂直部４２によって隆起部Ｃを両側から挟み込むように、形状保持部４を踵にフィットさせることができる。したがって、略Ｈ字型の形状保持部４によって本体部２が隆起部Ｃに的確に係止されるため、本体部２のずれや脱げを効果的に抑制することができる。
【００７７】
本発明は、上述した実施の形態に限定されるものではなく、請求項に示した範囲で種々の変更が可能であり、実施の形態にそれぞれ開示された技術的手段を適宜組み合わせて得られる実施の形態についても本発明の技術的範囲に含まれる。
【実施例】
【００７８】
以下、本発明の一実施例について、図６〜図８に基づいて説明すれば以下のとおりである。本実施例では、本発明に係るレッグウェアによる滑り止め効果について試験した。
【００７９】
図６の（ａ）は、フットカバー１１に設けられた滑り止め部３および形状保持部４の形状を示す模式図であり、図６の（ｂ）は、フットカバー１０１に設けられた滑り止め部４の形状を示す模式図である。
【００８０】
図６の（ａ）および（ｂ）に示すように、本試験では、アキレス腱Ａと略直交する向きに配置された直線型の滑り止め部３および直線型の形状保持部４を備えるフットカバー１１と、比較対象として、直線型の滑り止め部３を備えるフットカバー１０１とを準備した。
【００８１】
フットカバー１１とフットカバー１０１との違いは、フットカバー１１では、踵部２４の内側２４ａと滑り止め部３との間に、直線型の形状保持部４が設けられている点である。
【００８２】
〔試験方法〕
図７は、本実施例の試験方法を説明するための模式図である。
（１）婦人標準足型マネキンに各フットカバーを履かせた場合、婦人標準足型マネキンにパンストを装着した上に各フットカバーを履かせた場合、生足に各フットカバーを履かせた場合のそれぞれについて、図７に示すように、フットカバーを踵から爪先に向けて引張したときの引張力（応力）を、引張試験機（デジタルフォースゲージＺＰ５０Ｎ）５を用いて計測した。
【００８３】
なお、フットカバー１１では、マネキンおよび生足のアキレス腱Ａおよびアキレス腱Ａ付近の窪みＤ１・Ｄ２に沿って形状保持部４を変形させてから計測を行った。
（２）各サンプルについて５回計測を行い、フットカバーが脱げたときの引張力の平均値を算出した。
【００８４】
〔試験結果〕
【００８５】
【表１】
0006448411.tif 000002
【００８６】
表１は、本実施例の試験結果を示す表である。また、図８は、本実施例の試験結果を示すグラフであり、図８の（ａ）は、婦人標準足型マネキンに各フットカバーを履かせた場合の試験結果であり、図８の（ｂ）は、婦人標準足型マネキンにパンストを装着した上に各フットカバーを履かせた場合の試験結果であり、図８の（ｃ）は、生足に各フットカバーを履かせた場合の試験結果である。
【００８７】
なお、表１および図８の（ａ）〜（ｃ）では、フットカバー１１を実施例１、フットカバー１０１を比較例として示している。また、表１における括弧内の数値は、引張力（Ｎ／ｍｍ２）を滑り止め部３の面積（ｍｍ２）で割った値であり、滑り止め部３の単位面積当たりの滑り止め力を示す指数である。
【００８８】
表１および図８の（ａ）に示すように、婦人標準足型マネキンに各フットカバーを履かせた場合、実施例のフットカバー１１が脱げたときの引張力の平均値は１．８１±０．０６であり、単位面積当たりの滑り止め力を示す指数は０．００３１６であった。
【００８９】
これに対して、比較例のフットカバー１０１が脱げたときの引張力の平均値は１．５１±０．０２であり、単位面積当たりの滑り止め力を示す指数は０．００２６４であった。
【００９０】
また、表１および図８の（ｂ）に示すように、婦人標準足型マネキンにパンストを装着した上に各フットカバーを履かせた場合、実施例のフットカバー１１が脱げたときの引張力の平均値は１．１５±０．０２であり、単位面積当たりの滑り止め力を示す指数は０．００２０１であった。これに対して、比較例のフットカバー１０１が脱げたときの引張力の平均値は１．０８±０．０３であり、単位面積当たりの滑り止め力を示す指数は０．００１８９であった。
【００９１】
また、表１および図８の（ｃ）に示すように、生足に各フットカバーを履かせた場合、実施例のフットカバー１１が脱げたときの引張力の平均値は０．９８±０．０４であり、単位面積当たりの滑り止め力を示す指数は０．００１７１であった。
【００９２】
これに対して、比較例のフットカバー１０１が脱げたときの引張力の平均値は０．７４±０．０２であり、単位面積当たりの滑り止め力を示す指数は０．００１２９であった。
【００９３】
このように、婦人標準足型マネキンに各フットカバーを履かせた場合、婦人標準足型マネキンにパンストを装着した上に、各フットカバーを履かせた場合、生足に各フットカバーを履かせた場合のいずれでも、実施例のフットカバー１１は、比較例のフットカバー１０１に比べて脱げ難く、高い滑り止め効果が得られた。
【００９４】
これは、実施例のフットカバー１１では、踵部２４の内側２４ａと滑り止め部３との間に設けられた形状保持部４によって本体部２が踵に係止されると共に、形状保持部４によって滑値止め部３が踵に適切にフィットしたためである。
【００９５】
このように、本実施例において、本実施例に係るフットカバー１１によれば、より高い滑り止め効果が得られ、本体部２の脱げが抑制されることが確認された。
【産業上の利用可能性】
【００９６】
本発明は、靴下を含む各種のレッグウェアに適用に利用することができる。
【符号の説明】
【００９７】
１    フットカバー（レッグウェア）
２    本体部
３    滑り止め部（被覆部）
４    形状保持部
１１    フットカバー（レッグウェア）
２１    足底部
２４    踵部
２４ａ  内側
３１    接触面
４１    水平部
Ａ    アキレス腱
Ｂ  踵骨隆起
Ｃ  隆起部
Ｄ１  窪み
Ｄ２  窪み
Ｆ    足
【図１】
0006448411.tif 000003
【図２】
0006448411.tif 000004
【図３】
0006448411.tif 000005
【図４】
0006448411.tif 000006
【図５】
0006448411.tif 000007
【図６】
0006448411.tif 000008
【図７】
0006448411.tif 000009
【図８】
0006448411.tif 000010